(57)【特許請求の範囲】
【請求項１】
保護回路と角型のリチウムイオン電池からなる電池本体からリード線が引き出されたリード線付リチウムイオン電池パックにおいて、前記電池本体の外形面のうち幅の狭い側面に設けたカバーは折り曲げ可能であり、前記カバーの折り曲げ部にリード線を通すスリットを有することを特徴とするリード線付きリチウムイオン電池パック。
【請求項２】
前記スリットがカバーの折り曲げにより、広く開いた状態から狭い状態まで開閉することを特徴とする請求項１記載のリード線付きリチウムイオン電池パック。
【請求項３】
前記カバーが弾性を有することを特徴とする請求項１記載のリード線付きリチウムイオン電池パック。
【発明の詳細な説明】
【技術分野】
【０００１】
本発明はリード線付きリチウムイオン電池パックに関し、特に電池パックからリード線を引き出す電池パックのカバーの構造に関する。
【背景技術】
【０００２】
近年、携帯電話やデジタルスチールカメラなどの携帯機器用の電源として高容量化、小型化の要求によりリチウムイオン電池が用いられている。リチウムイオン電池においては、過充電、過放電、過大電流からの保護のための充放電制御、或いは、電池温度や電池の残量等の監視のための保護回路が必要であり、リチウムイオン電池とともに一体化され、電池パックとして構成される。携帯機器本体とリード線を介して接続するタイプのリード線付きリチウムイオン電池パックは携帯電話機等において広く用いられている。電池パックとしては、保護回路から引き出された先端にコネクタを有するリード線を残して、リチウムイオン電池と保護回路を熱収縮チューブにより外装を施したもの、側面を樹脂ケースで固定したもの、樹脂によりモールド成型したものなどがある。
【０００３】
熱収縮チューブを用いた場合には簡易に外装できる利点はあるものの、成型が不安定であるため、外装寸法精度が悪い等の欠点があり、樹脂によりモールド成型する場合には、成型時の樹脂による高温度、高圧力による劣化、多大な設備が必要になる欠点がある。特許文献１には、樹脂によるモールド成型による電池パックが従来の熱収縮チューブを用いた例とともに記載されている。また、特許文献２、特許文献３には、側面を樹脂ケースで固定した電池パックが記載されている。
【０００４】
図６は、従来のリード線付きリチウムイオン電池パックの一例を示す図であり、図６（ａ）は組立前の分解斜視図であり、図６（ｂ）は組立後の斜視図である。図７、図８、図９は、従来のリード線付きリチウムイオン電池の他の例を説明する組立前の斜視図である。
【０００５】
従来のリード線付きリチウムイオン電池パックにおいては、図６（ａ）に示すように、リチウムイオン電池と保護回路からなる保護回路付の電池本体１と、電池本体１から引き出されたリード線２を、ケース３に設けたリード線通過用のスリット７に入れながら、電池本体１をケース３に収納する。その後、絶縁シート４を電池本体１に貼り付けながらリード線通過用のスリット７を覆いリード線２を固定して、図６（ｂ）に示すように、リード線付きリチウムイオン電池パックを完成させていた例があった。
【０００６】
また、図７に示すように、上下のケース３にそれぞれリード線通過用のスリット７を設け、リード線２と電池本体１をケース３に収納した後、上下のケース３を超音波等で溶着することによりリード線２をケース３に固定することもあった。
【０００７】
更に、図８に示すように、リード線２を、カバー５に設けたリード線通過用のスリット７に入れ、電池本体１をカバー５と密着させながら、ラベル６を巻きつけリード線２をカバー５に固定することもあった。
【０００８】
また、図９に示すように、リード線２を電池本体１とカバー５の間から引き出し、絶縁シート４の貼り付けとラベル６による巻きつけによりリード線２を固定することもあった。
【０００９】
【特許文献１】特開２０００−３１５４８３号公報
【特許文献２】特開２００２−５０３２９号公報
【特許文献３】特開平１１−３４５６３１号公報
【発明の開示】
【発明が解決しようとする課題】
【００１０】
従来のリード線付きリチウムイオン電池パック、特に外装にケースまたはカバーを使用したリード線付きリチウムイオン電池パックにおいては、リチウムイオン電池および保護回路と接続されるリード線をケースまたはカバーに設けられたスリットを通して出し、ケースの溶着または接着、或いは絶縁シートの貼り付け、或いはラベルの巻きつけによりリード線引き出し部分のスリットを覆いリード線を固定していた。
【００１１】
このため、リード線の動きをケ−スまたはカバーのスリット内に収めるには、別に部品としてケースまたは絶縁シートまたはラベルが必要となっていた。また、別部品にてスリットを塞ぐまでの間にリード線が動くため、作業性が悪く、更に、絶縁シートまたはラベルにて貼り付けた場合、リード線の動きにより、絶縁シートまたはラベルによれやシワが発生するため、外観上、問題が出ることがあった。
【００１２】
本発明の課題は、作業性の良い、外観不良の少ないリード線付きリチウムイオン電池パックを提供することにある。
【課題を解決するための手段】
【００１３】
本発明の課題は、保護回路と角型のリチウムイオン電池からなる電池本体からリード線が引き出されたリード線付きリチウムイオン電池パックにおいて、前記電池本体の外形面のうち幅の狭い側面に設けたカバーは折り曲げ可能であり、前記カバーの折り曲げ部にリード線を通すスリットを有するリード線付きリチウムイオン電池パックによって解決することができる。
【００１４】
また、スリットがカバーの折り曲げにより、広く開いた状態から狭い状態まで開閉するとよい。さらに、カバーが弾性を有するとよい。
【発明の効果】
【００１５】
本発明のリード線付きリチウムイオン電池パックによれば、電池パックのカバーを折り曲げ可能な構造とし、このカバーの折り曲げ部に配したスリットから容易にリード線を引き出すことができ、電池の保護用のカバーのみでリード線引き出し用のスリットを塞ぎ、リード線を固定することができる為、組立作業性の改善及び部品削減が図れる。
【発明を実施するための最良の形態】
【００１６】
次に、本発明の実施の形態を図面を参照して説明する。
【００１７】
図１は、本発明のリード線付きリチウムイオン電池パックを説明する斜視図であり、図１（ａ）はリード線を固定する前の斜視図を示し、図１（ｂ）はリード線を固定した状態の斜視図を示す。角型のリチウムイオン電池と、保護回路を電気的に接続するとともに、電池パックとした時の厚さを抑えるためリチウムイオン電池の幅の狭い側面に保護回路を両面テープなどの接続手段により取り付け一体化し、保護回路付の電池本体１とする。電池本体１からは携帯機器本体と接続するためのコネクタを先端に取り付けたリード線２が引き出されている。図１に示すように、リード線２が引き出されたリチウムイオン電池と保護回路からなる保護回路付の電池本体１の幅の狭い側面に、カバー５を取り付ける。
【００１８】
次に、カバーについて説明する。図２は、本発明のリード線付きリチウムイオン電池パックの部品となるカバーを説明する斜視図であり、図２（ａ）は、カバーを開いた状態の斜視図を示し、図２（ｂ）は、電池パック組立後のカバーの状態の斜視図を示す。カバーは弾性を有する樹脂等を成型するなどして得られ、図２に示すように折り曲げ部８においてスリット７を有する一体の部品の構造となっており、折り曲げ部８の一方の側面から階段状に切れ込みを入れ他方の側面は折り曲げ時の支点となり、中央部にはスリット７を設けていて、弾性を有している。
【００１９】
図２（ａ）に示すように、カバー５が開いた状態ではスリット７も広く開いた状態とし、図２（ｂ）に示すように、電池パック組立後には、カバー５を側面の支点で折り曲げるとスリット７が狭くなるような構造となっている。カバー５は  一または二箇所に曲げ部を有する断面コの字状の電池本体１の二または三側面を覆う平板状部品で、曲げ部の一方には、側面から垂直に、次いで曲げ部方向、更にスリット７として側面と垂直に、折り曲げの支点となる、側面部を残して切れ込みが入っている。
【００２０】
次に、電池本体１とカバー５の取り付けについて説明する。カバー５の折り曲げ部８の切れ込みからリード線２を切れ込みを広げながら差込み、図１（ａ）に示すように、折り曲げ部８においてスリット７が広く開いた状態でスリット７にリード線２を挟む。その後、カバー５を電池本体１に密着させるように折り曲げると、カバー５のスリット７に挟まれたリード線２はスリット７が狭くなることによって固定される。次いで、電池本体１とカバー５をラベル６で巻きつけ接着しリード線付きリチウムイオン電池パックを完成させる。カバー５は、折り曲げによるスリット７の開閉、切れ込みからのリード線２の挿入の際に切れ込みを広げる等のため弾性を有する部材となっている。
【００２１】
図３は、本発明のリード線付きリチウムイオン電池パックの第２の実施の形態を説明する斜視図であり、図４は、本発明のリード線付きリチウムイオン電池パックの第３の実施の形態を説明する斜視図であり、図５は本発明のリード線付きリチウムイオン電池パックの第４の実施の形態を説明する斜視図である。
【００２２】
本発明の第２の実施の形態においては、図３に示すように、電池本体１上面部のカバー５にスリット７を設けている。、リード線２を電池本体１の上方に引き出し、カバー５の切れ込みを広げてスリット７にリード線２を差し込み、リード線２を挟んだ後、カバー５を折り曲げ、リード線２を固定する。次いで電池本体１とカバー５を組み合わせてリード線付きリチウムイオン電池パックを完成させる。
【００２３】
本発明の第３の実施の形態においては、図４に示すように、電池本体１側面のカバー５の中央部にスリット７を設けている。リード線２を電池本体１の側面に引き出し、カバー５の切れ込みを広げて折り曲げ部８のスリット７にリード線２を差し入れ、スリット７にリード線２を挟むように折り曲げリード線２を固定する。次いで電池本体１とカバー５を組み合わせてリード線付きリチウムイオン電池パックを完成させる。
【００２４】
本発明の第４の実施の形態においては、図５に示すように、電池本体１をの上面部のカバー５の中央部にスリット７を設けている。リード線２を電池本体１の上方に引き出し、カバー５のスリット７にリード線２を挟むようにした後、折り曲げリード線２を固定する。次いで電池本体１とカバー５を組み合わせてリード線付きリチウムイオン電池パックを完成させる。
【００２５】
図３、図４、図５に示すように、第２、第３、第４の実施の形態においては、カバー５に設けるスリット７の位置を変えることにより、リード線の引き出し位置を自由にできるという利点がある。
【図面の簡単な説明】
【００２６】
【図１】本発明のリード線付きリチウムイオン電池パックを説明する斜視図、図１（ａ）はリード線を固定する前の斜視図、図１（ｂ）はリード線を固定した状態の斜視図。
【図２】本発明のリード線付きリチウムイオン電池パックの部品となるカバーを説明する斜視図で、図２（ａ）はカバーを開いた状態の斜視図、図２（ｂ）は電池パック組立後のカバーの状態の斜視図。
【図３】本発明のリード線付きリチウムイオン電池パックの第２の実施の形態を説明する斜視図。
【図４】本発明のリード線付きリチウムイオン電池パックの第３の実施の形態を説明する斜視図。
【図５】本発明のリード線付きリチウムイオン電池パックの第４の実施の形態を説明する斜視図。
【図６】従来のリード線付きリチウムイオン電池パックの一例を示す図で、図６（ａ）は組立前の分解斜視図、図６（ｂ）は組立後の斜視図。
【図７】従来のリード線付きリチウムイオン電池の他の例を説明する組立前の斜視図。
【図８】従来のリード線付きリチウムイオン電池の他の例を説明する組立前の斜視図。
【図９】従来のリード線付きリチウムイオン電池の他の例を説明する組立前の斜視図。
【符号の説明】
【００２７】
１    電池本体
２    リード線
３    ケース
４    絶縁シート
５    カバー
６    ラベル
７    スリット
８    折り曲げ部
【図１】
0004841205.tif 000002
【図２】
0004841205.tif 000003
【図３】
0004841205.tif 000004
【図４】
0004841205.tif 000005
【図５】
0004841205.tif 000006
【図６】
0004841205.tif 000007
【図７】
0004841205.tif 000008
【図８】
0004841205.tif 000009
【図９】
0004841205.tif 000010